(57)【特許請求の範囲】
【請求項１】
第１電源が供給されて、所定の情報処理を行う処理部と、
第２電源が供給されて前記第１電源の供給制御を行う電力制御部と、
前記第２電源の供給及び前記電力制御部の制御下で前記第１電源の供給を行う電源部と、
ユーザが前記第１電源の供給の指示操作を行う自動復帰型スイッチと、
前記処理部が異常終了してから所定時間が経過した場合に自動復帰禁止信号を出力する自動復帰禁止部と、を備え、
前記電力制御部は、
前記第２電源の供給が再開された場合であって、前記処理部が前回異常終了しており、前記自動復帰禁止部から前記自動復帰禁止信号が出力されている場合には、前記自動復帰型スイッチを介し電源供給の指示操作がなされるまで、前記第１電源の供給を停止し、
前記第２電源の供給が再開された場合であって、前記処理部が前回異常終了しており、前記自動復帰禁止部から前記自動復帰禁止信号が出力されていない場合には、前記第１電源の供給を行う、
情報処理装置。
【請求項２】
前記処理部は、正常時に第１の所定時間毎にタイマリセット信号を前記自動復帰禁止部へ出力し、
前記自動復帰禁止部は、前記第１電源及び前記第２電源とは独立した第３電源が供給されて、前記タイマリセット信号によるリセットから所定時間が経過した場合に前記自動復帰禁止信号を前記電力制御部へ出力する
請求項１記載の情報処理装置。
【請求項３】
前記処理部は、一または複数の被制御部と、
前記タイマリセット信号を生成し出力するとともに、前記被制御部の制御を行う制御ユニットと、を備える、
請求項２記載の情報処理装置。
【請求項４】
前記電力制御部は、前記処理部が、前回異常終了したか否かを示す情報を記憶する記憶部を備えている、
請求項１乃至請求項３のいずれか一項に記載の情報処理装置。
【請求項５】
前記電源部は、供給された交流電力を直流電力に変換して、前記第１電源及び前記第２電源とするコンバータと、
前記電力制御部の制御により前記第１電源の供給及び遮断を制御するための電源制御スイッチと、
を備えた請求項１乃至請求項４のいずれか一項に記載の情報処理装置。
【請求項６】
前記コンバータの前段に設けられ、前記電力制御部の制御により前記交流電力の供給及び遮断を制御するリレーと、
前記直流電力を蓄えて、前記第２電源として供給する二次電池と、
前記二次電池の充電及び放電の制御を行う電池制御部と、
を備えた請求項５記載の情報処理装置。
【請求項７】
前記電源部は、直流電力を発電する発電部を有し、
前記電池制御部は、前記コンバータにより変換された直流電力よりも前記発電部が発電した直流電力を優先して前記第２電源として供給し、余剰電力を前記二次電池に蓄電するよう制御する、
請求項６記載の情報処理装置。
【請求項８】
前記電力制御部は、ネットワークを介して外部機器と通信を行う通信部を有する、
請求項１乃至請求項７のいずれか一項に記載の情報処理装置。
【請求項９】
前記処理部は、前記被制御部としてのファックスを含み、前記ファックスの制御を行う第２の制御ユニットと、を備える、
請求項３記載の情報処理装置。
【発明の詳細な説明】
【技術分野】
【０００１】
本発明は、情報処理装置に関する。
【背景技術】
【０００２】
主電源のみをオフにする待機状態に移行可能な情報処理装置では、主電源のオン・オフを電気信号によって制御する必要がある。この主電源のオン・オフを切替えるスイッチとしてシンプルな構成のプッシュスイッチを用いると、情報処理装置の動作中に停電が発生した場合、自動的に復帰させることができないという課題が生じる。
【０００３】
このため、例えば、特許文献１には、運用中に停電が発生しても、給電部からの電力供給がなされた時に商用電源からの電力供給が絶たれる前の動作状態に応じて、停電前の状態に復帰させる情報処理装置が開示されている。
【発明の概要】
【発明が解決しようとする課題】
【０００４】
ところで、停電となった後に停電前の状態に復帰させるためには、電力供給が絶たれる前の動作状態が異常であること（正常終了がなされなかったこと）及び電力が非供給状態から供給状態に移行したことの二つの条件が満たされることが必要である。
しかしながら、情報処理装置の製造工程において正常終了がなされず、ユーザに情報処理装置が納品されてプラグがコンセントに差し込まれて商用電源が供給された場合にも、上記二つの条件を満たしてしまい、情報処理装置の電源がオンされてしまう可能性があった。
【０００５】
本発明は、上記に鑑みてなされたものであって、情報処理装置の製造工程において正常終了がなされずに電源が供給された場合の自動復帰を禁止しつつ、停電があった場合には、停電前の状態に自動復帰させることが可能な情報処理装置を提供することを目的とする。
【課題を解決するための手段】
【０００６】
上述した課題を解決し、目的を達成するために、本発明の情報処理装置は、第１電源が供給されて、所定の情報処理を行う処理部と、第２電源が供給されて第１電源の供給制御を行う電力制御部と、第２電源の供給及び電力制御部の制御下で第１電源の供給を行う電源部と、ユーザが第１電源の供給の指示操作を行う自動復帰型スイッチと、処理部が異常終了してから所定時間が経過した場合に自動復帰禁止信号を出力する自動復帰禁止部と、を備え、電力制御部は、第２電源の供給が再開された場合であって、処理部が前回異常終了しており、自動復帰禁止部から自動復帰禁止信号が出力されている場合には、自動復帰型スイッチを介し電源供給の指示操作がなされるまで、第１電源の供給を停止し、第２電源の供給が再開された場合であって、処理部が前回異常終了しており、自動復帰禁止部から自動復帰禁止信号が出力されていない場合には、第１電源の供給を行う。
【発明の効果】
【０００７】
本発明によれば、情報処理装置の製造工程において正常終了がなされずに電源が供給された場合の自動復帰を禁止しつつ、停電があった場合には、停電前の状態に自動復帰させることができるという効果を奏する。
【図面の簡単な説明】
【０００８】
【図１】図１は、実施形態にかかる情報処理装置である画像形成装置の概要構成図である。
【図２】図２は、電源プラグをコンセントに接続した場合の動作処理フローチャートである。
【図３】図３は、停止処理時の処理フローチャートである。
【図４】図４は、商用電源の再供給がなされた場合の画像形成装置の動作を示すフローチャートである。
【図５】図５は、実施形態の画像形成装置の第１変形例の概要構成図である。
【図６】図６は、実施形態の画像形成装置の第２変形例の概要構成図である。
【図７】図７は、実施形態の画像形成装置の第３変形例の概要構成図である。
【図８】図８は、実施形態の画像形成装置の第４変形例の概要構成図である。
【図９】図９は、実施形態の画像形成装置の第５変形例の概要構成図である。
【発明を実施するための形態】
【０００９】
次に図面を参照して実施形態について説明する。
図１は、実施形態にかかる情報処理装置である画像形成装置の概要構成図である。  画像形成装置１は、大別すると、各部への動作用電源を供給する電源部２、電源部２を制御する電力制御部（第２制御部）３、画像形成装置１全体を制御するコントローラ（第１制御部）４、パネル１０、プロッタ１２、スキャナ１４、ファックス１６及び自動復帰型スイッチであるプッシュスイッチ１８を備える。
【００１０】
パネル１０は、いわゆるタッチパネルディスプレイとして構成されており、画像形成装置１の操作を行えるとともに、画像形成装置１に関する各種情報を表示する。
プロッタ１２は、画像形成装置１が形成する画像を用紙などに出力する。
スキャナ１４は、図示しないオートドキュメントフィーダ（ＡＤＦ）を備え、供給された書類から画像を読み取る。
ファックス１６は、外部機器（ファクシミリ装置あるいはパーソナルコンピュータ等）との間で通信回線を介して、ファクシミリによる通信を行う。
つまり、パネル１０、プロッタ１２、スキャナ１４及びファックス１６は、処理を行う処理部となっている。
プッシュスイッチ１８は、例えばユーザによって押下されると、後述するマイコン３０及びＣＰＵ４４に対して押下を示すパルス信号ＳＷを出力する。
【００１１】
電源部２は、大別すると、コンバータ２０、電源制御スイッチ２２、第１リセットＩＣ２４、第２リセットＩＣ２６、第１電源ＰＷ１及び第２電源ＰＷ２を備えている。
コンバータ２０は、電源プラグ２００を介して供給される交流電力（ＡＣ電源）を直流電力に変換し、第１電源ＰＷ１及び第２電源ＰＷ２に直流電力を供給する。
電源制御スイッチ（切替部）２２は、電力制御部３の制御下でコンバータ２０からの第１電源ＰＷ１への直流電力の供給／遮断を切り替える。
【００１２】
第１リセットＩＣ２４は、第１電源ＰＷ１の電圧が予め定められた第１リセット電圧ＶＲＳＴＡ（＝第１閾値）以上になった場合には、第１リセット信号ＲＳＴＡ＿Ｎをアサートし、例えば、第１リセット信号ＲＳＴＡ＿Ｎを“Ｈ”レベルとして、後述するＣＰＵ４４を起動させる。また、第１リセットＩＣ２４は、第１電源ＰＷ１の電圧が第１リセット電圧ＶＲＳＴＡ未満になった場合には、第１リセット信号ＲＳＴＡ＿Ｎをネゲートし、例えば、第１リセット信号ＲＳＴＡ＿Ｎを“Ｌ”レベルとして、ＣＰＵ４４を停止させる。
【００１３】
第２リセットＩＣ２６は、第２電源ＰＷ２の電圧が予め定められた第２リセット電圧ＶＲＳＴＢ（＝第２閾値）以上になった場合には、第２リセット信号ＲＳＴＢ＿Ｎをアサートし、例えば、第２リセット信号ＲＳＴＢ＿Ｎを“Ｈ”レベルとして、後述するマイコン３０を起動させる。また、第２電源ＰＷ２の電圧が第２リセット電圧ＶＲＳＴＢ未満になった場合には、第２リセット信号ＲＳＴＢ＿Ｎをネゲートし、例えば、第２リセット信号ＲＳＴＢ＿Ｎを“Ｌ”レベルとして、マイコン３０を停止させる。
【００１４】
上記構成において、第１電源ＰＷ１は、コントローラ４、パネル１０、プロッタ１２、スキャナ１４及びファックス１６に直流電力として供給され、第２電源ＰＷ２は、電力制御部３に直流電力として供給される。さらに第１リセット電圧ＶＲＳＴＡ及び第２リセット電圧ＶＲＳＴＢは、第１電源ＰＷ１の供給先の装置及び第２電源ＰＷ２の供給先の装置の推奨動作電圧以上に設定され、第２リセット電圧ＶＲＳＴＢは、第１リセット電圧ＶＲＳＴＡよりも高く設定されている。
【００１５】
電力制御部３は、マイコン（microcomputer）３０を備えている。
マイコン３０は、マイコン３０全体を制御する図示しないＣＰＵなどのプロセッサ、ワークテーブルとして機能し、各種データを一時的に記憶するＲＡＭ３１、リセット信号（第２リセット信号ＲＳＴＢ＿Ｎ）が入力されリセット端子（ＲＳＴ）３２、汎用入出力端子（以下、ＧＰＩＯ［General  Purpose  Input/Output］という）３３，３４，３５，３６、コントローラインタフェイス（ＩＦ）３７及び各種データを不揮発的、かつ、更新可能に記憶する不揮発性メモリ３８を備えた集積回路として構成されている。なお、マイコン３０は、不揮発性メモリ（記憶部）３８などの集積した各部がチップ外に設けられる構成であってもよい。つまり、マイコン３０が第２制御部として機能してもよいし、マイコン３０の図示しないＣＰＵなどが第２制御部として機能してもよい。
【００１６】
マイコン３０には、リセット端子（ＲＳＴ）３２を介して第２リセットＩＣ２６が出力した第２リセット信号ＲＳＴＢ＿Ｎが入力される。
また、マイコン３０は、ＧＰＩＯ３４を介してＰＯＷＥＲ＿ＯＮ信号を電源制御スイッチ２２に出力して、電源制御スイッチ２２のオン／オフを制御する。
また、マイコン３０には、ＧＰＩＯ３５を介して、第１リセットＩＣ２４が出力した第１リセット信号ＲＳＴＡ＿Ｎが入力される。
また、マイコン３０は、ＧＰＩＯ３６を介してプッシュスイッチ１８に接続され、プッシュスイッチ１８が出力したパルス信号ＳＷに基づいて、プッシュスイッチ１８の押下を検出する。ここで、画像形成装置１の主電源である第１電源ＰＷの供給／遮断を切替えるためにユーザにより押下される。
また、マイコン３０は、コントローラＩＦを介して後述するＣＰＵ４４と通信を行う。
また、マイコン３０には、ＧＰＩＯ３９を介して、後述するＲＴＣ（Real Time Clock）４５が出力したリアルタイムクロック割込信号ＲＴＣ＿ＩＮＴが入力される。
【００１７】
コントローラ４は、大別すると、コントローラ４の本体として機能するコントローラユニット４０、電源部２から独立して電源供給がなされ、画像形成装置１への電源供給が絶たれていても時刻を刻み続けるＲＴＣ４５及びＲＴＣ４５に動作用の第３電源ＰＷ３を供給する電池４６を備えている。
コントローラユニット４０は、大別すると、ワークテーブルとして機能し、各種データを一時的に記憶するＲＡＭ４１、基本制御プログラム（例えば、イニシャルプログラムローダ）等の各種データを不揮発的に記憶するＲＯＭ４２及びコントローラユニット４０全体を制御するＣＰＵ４４を備えている。
ＣＰＵ４４は、大別すると、ＲＡＭインターフェイス（ＩＦ）４４０、ＲＯＭインターフェイス（ＩＦ）４４１、ネットワークＩＦ４４２、ＲＳＴ４４３、第１ＩＦ４４４、第２ＩＦ４４５、第３ＩＦ４４６、第４ＩＦ４４７、マイコンＩＦ４４８及びＧＰＩＯ４４９を備え、集積回路として構成されている。
従って、コントローラ４が第１制御部として機能してもよいし、ＣＰＵ４４が第１制御部として機能してもよい。また、マイコン３０及びＣＰＵ４４は、１チップ内に含まれていてもよい。
【００１８】
ネットワークＩＦ４４２は、外部装置であるＰＣ（Personal  Computer）１００などと通信ネットワークを介して通信を行う通信インターフェイス動作を行う通信部である。第１ＩＦ４４４は、パネル１０と通信を行うパネルインターフェイスである。第２ＩＦ４４５は、プロッタ１２と通信を行うプロッタインターフェイスである。第３ＩＦ４４６は、スキャナ１４と通信を行うスキャナインターフェイスである。第４ＩＦ４４７は、ファックス１６と通信を行うファックスインターフェイスである。
【００１９】
ＣＰＵ４４は、ＲＳＴ４４３を介して、第１リセットＩＣ２４が出力する第１リセット信号ＲＳＴＡ＿Ｎが入力される。また、ＣＰＵ４４は、マイコンＩＦ４４８を介してマイコン３０と通信を行う。ＣＰＵ４４は、ＧＰＩＯ４４９を介してプッシュスイッチ１８に接続され、プッシュスイッチ１８が出力したパルス信号ＳＷに基づいて、プッシュスイッチ１８の押下を検出する。
【００２０】
次に、実施形態の画像形成装置１の動作について説明する。
図２は、電源プラグをコンセントに接続した場合の動作処理フローチャートである。
電源プラグ２００がコンセント（electrical outlet）に接続されると（ステップＳ１１）、コンバータ２０は電源プラグ２００からの交流電力を直流電力に変換し、第２電源ＰＷ２としての直流電力がマイコン３０に動作電源として供給される（ステップＳ１２
）。
【００２１】
この状態では、主電源である第１電源ＰＷ１は、非供給状態であり、コントローラ４は、未だ非動作状態である。
このため、第２電源ＰＷ２が供給されているマイコン３０は、コントローラ４に代わって起動し、動作する（ステップＳ１３）。
【００２２】
すなわち、プッシュスイッチ１８が押下され（ステップＳ１４）、パルス信号ＳＷが出力されると、マイコン３０には、ＧＰＩＯ３６を介してパルス信号ＳＷが入力され、マイコン３０は、プッシュスイッチ１８の押下を検出する（ステップＳ１５）。
【００２３】
そして、マイコン３０は、プッシュスイッチ１８の押下を検出すると、ＧＰＩＯ３４を介して、電源オン信号ＰＯＷＥＲ＿ＯＮを電源制御スイッチ２２に出力し、電源制御スイッチ２２を第１電源ＰＷ１の供給状態とさせる（ステップＳ１６）。第１電源ＰＷ１が供給状態とされると、コントローラ４、パネル１０、プロッタ１２、スキャナ１４及びファックス１６（処理部）に、第１電源ＰＷ１が供給される。
【００２４】
そして、コントローラ４に第１電源ＰＷ１が供給されると、コントローラユニット４０のＣＰＵ４４が起動する。ＣＰＵ４４は、起動して初期化などが完了すると、マイコン３０に対してマイコンインタフェース４４８を介して、起動完了を示す信号を出力する（ステップＳ１７）。
【００２５】
マイコン３０は、ＣＰＵ４４の起動完了を示す信号がコントローラインタフェイス３７を介して入力されると、プッシュスイッチ１８の押下の検出を止める（ステップＳ１６）。
すなわち、マイコン３０がプッシュスイッチ１８の押下の検出を止めた後は、ＣＰＵ４４がＧＰＩＯ４４９を介して入力されるパルス信号ＳＷに基づいてプッシュスイッチ１８の押下の検出を行うこととなる。
【００２６】
そして、コントローラ４のＣＰＵ４４は、ＲＴＣインターフェイス４５０を介してＲＴＣ４５を制御し、所定時間後（図２では、１１時間後）に、ＲＴＣ割込信号ＲＴＣ＿ＩＮＴを“Ｈ”レベルとするように設定を行い（ステップＳ１８）、ＲＴＣ４５をリセットし、経過時間のカウントを行わせる（ステップＳ１９）。
【００２７】
ここで、ＲＴＣ４５に設定される所定時間は、画像形成装置１に停電が起こって再起動が必要な場合と、画像形成装置１が納品されて最初に電源が供給され、再起動が必要ではない場合と、を識別するのに十分な時間に設定される。すなわち、通常の停電の復旧時に自動復旧する場合に電源が供給されるまでの時間としては、想定されないような時間に設定されている。
【００２８】
続いて、コントローラ４のＣＰＵ４４は、ステップＳ１８の設定を行ってから１時間が経過したか否かを判別する（ステップＳ２０）。
ステップＳ２０の判別において、ステップＳ１８の設定（カウントリセット）を行ってから１時間が経過していない場合には（ステップＳ２０；Ｎｏ）、待機状態となる。
ステップＳ２０の判別において、ステップＳ１８の設定を行ってから１時間が経過した場合には（ステップＳ２０；Ｙｅｓ）、再び処理をステップＳ１８に移行し、コントローラ４のＣＰＵ４４は、ＲＴＣインターフェイス４５０を介してＲＴＣ４５を制御し、所定時間後（図２では、１１時間後）に、ＲＴＣ割込信号ＲＴＣ＿ＩＮＴを“Ｈ”レベルとするように設定を行い（ステップＳ１８）、設定してからの経過時間のカウントを行う（ステップＳ１９）。
【００２９】
この結果、コントローラ４が正常に動作している間は、１時間毎にＲＴＣ４５の動作がリセットされ、所定時間後にＲＴＣ割込信号ＲＴＣ＿ＩＮＴが“Ｈ”レベルとなることはない。
【００３０】
換言すれば、コントローラ４が正常でなく終了した場合には、ＲＴＣ４５の動作がリセットされず、所定時間後にＲＴＣ割込信号ＲＴＣ＿ＩＮＴが“Ｈ”レベルとなるということである。したがって、所定時間経過後にＲＴＣ割込信号ＲＴＣ＿ＩＮＴが“Ｈ”レベルとなっていれば、異常終了してから所定時間以上の時間が経過しており、停電復旧に伴う電源供給再開として、自動復旧を行うべきではなく、納品後にプラグをコンセントに差し込んだこと等の自動復旧が望まれない状態であるということである。
【００３１】
次に正常起動後にユーザが電源スイッチを押して画像形成装置１を停止させる場合（正常終了時）の動作について説明する。
図３は、停止処理時の処理フローチャートである。
【００３２】
第１電源ＰＷ１がコントローラ４に供給された状態（画像形成装置１の動作状態）でプッシュスイッチ１８が押下されると（ステップＳ２１）、コントローラ４のＣＰＵ４４は、ＧＰＩＯ４４９を介して入力されるパルス信号ＳＷに基づいてプッシュスイッチ１８の押下を検出する（ステップＳ２２）。
これによりコントローラ４のＣＰＵ４４は、ソフトウェアの動作を停止させ、図示しないＨＤＤ又は不揮発性メモリ３８等の不揮発性デバイスへのアクセスを停止させるシャットダウン処理（停止処理）を行う（ステップＳ２３）。
そして、コントローラ４のＣＰＵ４４は、シャットダウン処理（停止処理）を完了すると、第１電源ＰＷ１の供給を遮断させる準備が完了したことを示す信号をマイコンインタフェース４４８を介してマイコン３０に対して出力し、通知する（ステップＳ２４）。
【００３３】
マイコン３０は、第１電源ＰＷ１の供給の遮断させる準備が完了したことを示す信号がコントローラインタフェイス３７を介して入力されると、不揮発性メモリ３８に画像形成装置１が所定のシャットダウン処理（停止処理）の正常な手順を踏んでなされたことを記録する（ステップＳ２５）。
続いて、マイコン３０は、ＧＰＩＯ３４を介して、電源制御スイッチ２２を遮断状態とすることにより、第１電源ＰＷの供給を遮断する（ステップＳ２６）。
【００３４】
次に、画像形成装置１が製造工程において、正常終了がなされずに納品され、電源プラグがコンセントに差し込まれた場合の動作について説明する。
図４は、商用電源の再供給がなされた場合の画像形成装置の動作を示すフローチャートである。
【００３５】
画像形成装置１が製造工程において、正常終了がなされずにユーザに納品された場合に、電源プラグ２００をコンセント（electrical outlet）に接続したとすると、コンバータ２０には電源プラグ２００からの交流電力が供給される（ステップＳ３１）。
【００３６】
これにより、コンバータ２０は、電源プラグ２００からの交流電力を直流電力に変換し、第２電源ＰＷ２としての直流電力を生成しマイコン３０に動作電源として供給する（ステップＳ３２）。
【００３７】
この状態においても、主電源である第１電源ＰＷ１は、非供給状態であり、コントローラ４は、未だ非動作状態である。
このため、第２電源ＰＷ２が供給されたマイコン３０は、起動し（ステップＳ３３）、コントローラ４に代わって動作する。
そして、マイコン３０は、不揮発性メモリ３８にアクセスする（ステップＳ３４）。
【００３８】
続いて、マイコン３０は、不揮発性メモリ３８に正常終了した旨のフラグが記録されているか否かを判別し、画像形成装置１が前回正常にオフ動作を実施したか否かを判別する（ステップＳ３５）。
【００３９】
この場合においては、ステップＳ３５の判別において、画像形成装置１が前回正常にオフ動作を実施していないと判別されるので（ステップＳ３５；Ｎｏ）、ＧＰＩＯ３９を介してＲＴＣ４５から入力されているＲＴＣ割込信号ＲＴＣ＿ＩＮＴが“Ｈ”レベルとなっているか否かを判別する（ステップＳ３６）。
【００４０】
ここで、上述したようにＲＴＣ割込信号ＲＴＣ＿ＩＮＴが“Ｈ”レベルとなるのは、所定時間が経過した場合であるが、画像形成装置１が製造工程において、正常終了がなされずにユーザに納品された場合には、通常この所定時間を経過しているはずである。
【００４１】
このため、ステップＳ３６の判別において、ＲＴＣ割込信号ＲＴＣ＿ＩＮＴが“Ｈ”レベルとなっているので（ステップＳ３６；Ｙｅｓ）、マイコン３０は、処理を終了し、ユーザによるプッシュスイッチ１８の押下を待つこととなる。
【００４２】
これは、異常終了してから所定時間以上の時間が経過しており、停電復旧に伴う電源供給再開とは異なる状況であるので、自動復帰を行わずに、処理を終了し、ユーザによるプッシュスイッチ１８の押下、すなわち、電源供給の指示を待つべきだからである。
【００４３】
したがって、画像形成装置１が製造工程において、正常終了がなされずにユーザに納品された場合に、電源プラグを差し込んだだけで、電力がコントローラ４、パネル１０、プロッタ１２、スキャナ１４及びファックス１６に供給されることはなく、画像形成装置１の電源プラグをコンセントに差し込んだだけで、自動復帰機能が働いて、画像形成装置１が動作状態に移行することはない。
【００４４】
次に、画像形成装置１が短時間の停電から復旧した場合の動作について説明する。ここで、短時間とは、文字通りの意味のみならず、前回ＲＴＣ４５を制御し、所定時間後に、ＲＴＣ割込信号ＲＴＣ＿ＩＮＴを“Ｈ”レベルとするように設定を行ってからの経過時間が所定時間未満の場合を含む概念である。
【００４５】
再び、図４を参照して画像形成装置１が短時間の停電から復旧した場合の動作を説明する。
商用電源が停電から復旧した場合においては、通常、電源プラグ２００がコンセント（electrical outlet）に接続されたままの状態であるので、停電復旧に伴って、コンバータ２０には電源プラグ２００からの交流電力が供給される（ステップＳ３１）。
【００４６】
これにより、コンバータ２０は、電源プラグ２００からの交流電力を直流電力に変換し、第２電源ＰＷ２としての直流電力を生成しマイコン３０に動作電源として供給する（ステップＳ３２）。
【００４７】
この状態においても、主電源である第１電源ＰＷ１は、非供給状態であり、コントローラ４は、未だ非動作状態である。
このため、第２電源ＰＷ２が供給されたマイコン３０は、起動し（ステップＳ３３）、コントローラ４に代わって動作する。
そして、マイコン３０は、不揮発性メモリ３８にアクセスする（ステップＳ３４）。
【００４８】
続いて、マイコン３０は、不揮発性メモリ３８に正常終了した旨のフラグが記録されているか否かを判別し、画像形成装置１が前回正常にオフ動作を実施したか否かを判別する（ステップＳ３５）。
【００４９】
そして、ステップＳ３５の判別において、画像形成装置１が前回正常にオフ動作を実施していないと判別されるので（ステップＳ３５；Ｎｏ）、ＧＰＩＯ３９を介してＲＴＣ４５から入力されているＲＴＣ割込信号ＲＴＣ＿ＩＮＴが“Ｈ”レベルとなっているか否かを判別する（ステップＳ３６）。
【００５０】
この場合には、ステップＳ３６の判別において、ＲＴＣ割込信号ＲＴＣ＿ＩＮＴが“Ｈ”レベルとなっていない、すなわち、ＲＴＣ割込信号ＲＴＣ＿ＩＮＴが“Ｌ”レベルとなっているので（ステップＳ３６；Ｎｏ）、マイコン３０は、ＧＰＩＯ３４を介して、電源オン信号ＰＯＷＥＲ＿ＯＮを電源制御スイッチ２２に出力し、電源制御スイッチ２２を第１電源ＰＷ１の供給状態とさせる（ステップＳ３７）。
【００５１】
第１電源ＰＷ１が供給されると、コントローラ４、パネル１０、プロッタ１２、スキャナ１４及びファックス１６は、起動し、動作状態に移行する（ステップＳ３８）。
そして、コントローラ４のＣＰＵ４４は、起動して初期化などが完了すると、マイコン３０に対してマイコンインタフェース４４８を介して、起動完了を示す信号を出力し、マイコン３０は、ＣＰＵ４４の起動完了を示す信号がコントローラインタフェイス３７を介して入力されると、プッシュスイッチ１８の押下の検出を止め、画像形成装置１は、通常動作状態に移行することとなる。
【００５２】
以上の説明のように、実施形態によれば、情報処理装置の製造工程において正常終了がなされずに電源が供給された場合の自動復帰を禁止しつつ、停電があった場合には、停電前の状態に自動復帰させることができる。
【００５３】
［１］実施形態の第１変形例
次に、実施形態の画像形成装置の第１変形例について説明する。
図５は、実施形態の画像形成装置の第１変形例の概要構成図である。
第１変形例の画像形成装置１ａが、図１の実施形態の画像形成装置１と異なる点は、電源部２に対し、リレー２１、二次電池５０及び電池制御部５１が付加した点である。
【００５４】
電源部２のリレー２１は、オン又はオフすることにより、コンバータ２０に対して交流電力を供給しあるいは遮断する。
二次電池５０は、電圧（起電力）が第２電源ＰＷ２と略同じとなるように設定されている。
【００５５】
電池制御部５１は、リレー２１がオンである間、すなわち商用電源が供給されている間に二次電池５０を蓄電し、リレー２１がオフである間は二次電池５０から第２電源ＰＷ２に電力、すなわち、第２電源ＰＷ２を供給するよう制御する。
また、マイコン３０は、電源制御スイッチ２２が第１電源ＰＷ１を遮断状態に切替えた場合に、リレー２１をオフにするようにＧＰＩＯ３３を介して制御を行う。
【００５６】
また、第１電源ＰＷ１を供給している状態で停電になると、第１電源ＰＷ１の電圧は低下する。そして第１電源ＰＷ１の電圧がＲＳＴＡ検知レベル未満になると、第１リセットＩＣ２４が出力する第１リセット信号ＲＳＴＡ＿Ｎは、“Ｌ”レベルとなる。
【００５７】
これにより、マイコン３０は、第１リセット信号ＲＳＴＡ＿Ｎが“Ｌ”レベルとなったことをＧＰＩＯ３５を介して受信し、停電などによって第１電源ＰＷ１の電圧がＲＳＴＡ検知レベル未満になったと判断する。マイコン３０は、停電であると判断した場合、リレー２１をオフにしてもよい。
【００５８】
このように、第１変形例の画像形成装置１ａによれば、電源プラグ２００からの交流電力をリレー２１が遮断し、二次電池５０が第２電源ＰＷ２を供給する場合には、交流電力の電力消費を０Ｗとして待機状態となることができる。
【００５９】
［２］実施形態の第２変形例
次に、実施形態の画像形成装置の第２変形例について説明する。
図６は、実施形態の画像形成装置の第２変形例の概要構成図である。
第２変形例の画像形成装置１ｂが、図１の実施形態の画像形成装置１と異なる点は、電源部２に対し、リレー２１、二次電池５０及び電池制御部５１ａが付加された構成となっている点及び電力制御部３がＧＰＩＯ６１を含むマイコン３０ａを有している点である。
【００６０】
電池制御部５１ａは、マイコン３０ａのＧＰＩＯ６１に対し、二次電池５０の蓄電残量が予め定められた蓄電量以上であるか否かを示す蓄電量信号を出力する。マイコン３０ａは、蓄電量信号が示す蓄電残量が予め定められた蓄電量未満である場合には、ＧＰＩＯ３３を介してリレー制御信号Ｒｅｌａｙ＿ＯＮを出力し、リレー２１をオンにする。
【００６１】
リレー２１がオンになると、コンバータ２０が交流電力を直流電力に変換し、電池制御部５１ａが二次電池５０の蓄電を行う。また、電池制御部５１ａは、二次電池５０に予め定められた電力が蓄積されると、二次電池５０への蓄電を停止する。マイコン３０ａは、二次電池５０への蓄電が停止されると、ＧＰＩＯ３３を介してリレー制御信号Ｒｅｌａｙ＿ＯＮを出力し、リレー２１をオフにする。
従って、本第２変形例によれば、二次電池５０の蓄電残量不足によってマイコン３０ａが動作しなくなることを防止できる。
【００６２】
［３］実施形態の第３変形例
次に、実施形態の画像形成装置の第３変形例について説明する。
図７は、実施形態の画像形成装置の第３変形例の概要構成図である。
第３変形例の画像形成装置１ｃが、図６の第２変形例と異なる点は、電源部２に対し、発電部５２が付加された構成となっている点及び電池制御部５１ａに代えて発電部５２の発電電力の供給制御を行う電池制御部５１ｂが設けられている点である。
【００６３】
第３変形例の画像形成装置１ｃの電池制御部５１ｂは、コンバータ２０が出力する直流電圧を第２電源ＰＷ２に印加しつつ、二次電池５０に蓄電を行う。また、電池制御部５１ｂは、コンバータ２０が変換した直流電圧よりも発電部５２が発電した電力を優先して第２電源ＰＷ２に電力供給し、余剰電力を二次電池５０に蓄電するよう制御する。
従って、本第３変形例によれば、第１電源ＰＷ１がオフの状態で二次電池５０の蓄電量が不足してしまうことを防止できる。
【００６４】
［４］実施形態の第４変形例
次に、実施形態の画像形成装置の第４変形例について説明する。
図８は、実施形態の画像形成装置の第４変形例の概要構成図である。
第４変形例の画像形成装置１ｄが、図６の第２変形例と異なる点は、電源部２に対し、発電部５２が付加された構成となっている点及び電池制御部５１ａに代えて発電部５２の発電電力の供給制御を行う電池制御部５１ｂが設けられている点及び図９に示したコントローラ４が有するネットワークＩＦ４４２をマイコン３０ｂが有する構成となっている点である。
【００６５】
従って、本第４変形例によれば、コントローラ４に対して第１電源ＰＷ１の供給が遮断され、コントローラ４がオフにされた状態であっても、第２電源ＰＷ２が供給する電力により動作するマイコン３０ｂによってＰＣ１００との通信を行うことができる。
【００６６】
［５］実施形態の第５変形例
次に、実施形態の画像形成装置の第５変形例について説明する。
図９は、実施形態の画像形成装置の第５変形例の概要構成図である。
第５変形例の画像形成装置１ｅが、図８の第４変形例と異なる点は、図８の第４変形例に示したファックス１６が第２マイコン６に含まれるファックス６０に置き換えられた構成となっている。
また、第２マイコン６は、ファックス６０の他に、ＲＡＭ６２、ＧＰＩＯ６４及び不揮発性メモリ６６を有する。第２マイコン６は、ＧＰＩＯ６４がマイコン３０ｂのＧＰＩＯ７１と通信を行うことにより外部の公衆回線からのファクシミリの着呼を受入れる。
したがって、本第５変形例によれば、画像形成装置１ｅは、マイコン３０ｂを介してファクシミリの着呼を受けることが可能にされ、より省エネルギー化を図ることができる。
【００６７】
なお、上記実施形態では、本発明の情報処理装置について画像形成装置１を例に挙げて説明したが、これに限定されることなく、第１制御部及び第２制御部を有する他の情報処理装置についても本発明を適用することができる。
【符号の説明】
【００６８】
１、１ａ〜１ｅ    画像形成装置
２      電源部
３      電力制御部
４      コントローラ（処理部）
６      第２マイコン
１０    パネル（処理部）
１２    プロッタ（処理部）
１４    スキャナ（処理部）
１６    ファックス（処理部）
１８    プッシュスイッチ
２０    コンバータ
２１    リレー
２２    電源制御スイッチ
２４  第１リセットＩＣ
２６  第２リセットＩＣ
３０、３０ａ、３０ｂ  マイコン
３８    不揮発性メモリ
４０    コントローラユニット
４５    ＲＴＣ（タイマ部）
４６    電池
５０    二次電池
５１、５１ａ、５１ｂ  電池制御部
５２    発電部
６０    ファックス
２００  電源プラグ
４５０  ＲＴＣインターフェイス
ＰＷ１  第１電源
ＰＷ２  第２電源
ＰＷ３  第３電源
ＰＯＷＥＲ＿ＯＮ  電源オン信号
ＲＳＴＡ  第１リセット信号
ＲＳＴＢ  第２リセット信号
ＲＴＣ_ＩＮＴ  ＲＴＣ割込信号（自動復帰禁止信号）
Ｒｅｌａｙ＿ＯＮ  リレー制御信号
ＳＷ    パルス信号
【先行技術文献】
【特許文献】
【００６９】
【特許文献１】特開２０１４−１２３３４５号公報
【図１】
0006442963.tif 000002
【図２】
0006442963.tif 000003
【図３】
0006442963.tif 000004
【図４】
0006442963.tif 000005
【図５】
0006442963.tif 000006
【図６】
0006442963.tif 000007
【図７】
0006442963.tif 000008
【図８】
0006442963.tif 000009
【図９】
0006442963.tif 000010